(57)【要約】【課題】通風路の障害物による圧力損失を低減することにより、冷凍庫内の冷却ロスを低減することができる吹出しダンパ装置を提供する。【解決手段】冷却装置１の風吹出し口１４付近に設置され、通風路の開閉を行う吹出しダンパ装置２ａにおいて、ダンパ２２ａ、２３ａを揺動自在に軸支するヒンジ２４を、ダンパケース２１ａの開口部３０近傍に取り付けることにより、圧力損失を生じさせる障害物が通風路に配置されるのを回避する。【選択図】図３
2010210108.tif 000002
【特許請求の範囲】
【請求項１】
冷却装置の風吹出し口付近に設置され、通風路の開閉を行う吹出しダンパ装置であって、
主面に通風路となる開口部が形成され、側面が前記冷却装置の筐体に取り付けられるダンパケースと、
前記開口部の開閉に用いられるダンパと、
前記ダンパケースの開口部近傍に取り付けられ、前記ダンパを揺動自在に軸支するヒンジと、を備えることを特徴とする吹出しダンパ装置。
【請求項２】
前記ダンパケースの開口部と前記冷却装置の風吹出し口との間に、通風路を構成する筒状のダクトが配置されていることを特徴とする、請求項１に記載の吹出しダンパ装置。
【請求項３】
前記ダクトは、前記ダンパケースの主面に固定されていることを特徴とする請求項２に記載の吹出しダンパ装置。
【請求項４】
前記ダンパは２枚の板材で構成され、この２枚の板材が観音開きとなるよう、それぞれの板材の端部に前記ヒンジが取り付けられていることを特徴とする請求項１乃至３のいずれかに記載の吹出しダンパ装置。
【請求項５】
前記ダンパが自重によって前記ダンパケースの開口部を閉じるように、前記ダンパケースの主面は垂直方向に対して傾斜していることを特徴とする請求項４に記載の吹出しダンパ装置。
【請求項６】
前記ダンパは１枚の板材で構成され、その板材の端部に前記ヒンジが取り付けられていることを特徴とする請求項１乃至３のいずれかに記載の吹出しダンパ装置。
【請求項７】
前記ダンパに重りが取り付けられていることを特徴とする請求項１乃至６のいずれかに記載の吹出しダンパ装置。
【請求項８】
前記ヒンジの凍結防止用として、前記ダンパケースの開口部を取り囲むように、コの字形状のヒータが配置されていることを特徴とする請求項１乃至７のいずれかに記載の吹出しダンパ装置。
【請求項９】
底面にドレン水を収容するドレンパンが設置され、かつこのドレンパンは、排水口からドレン水が前記冷却装置のドレンパンに流れ込むように、水平方向に対し傾斜していることを特徴とする請求項１乃至８のいずれかに記載の吹出しダンパ装置。
【請求項１０】
蒸発器、および前記蒸発器に風を送る送風機が筐体に収納され、さらに風吹出し口付近に、通風路の開閉を行う吹出しダンパ装置が設置された冷却装置であって、
前記吹出しダンパ装置は、
主面に通風路となる開口部が形成され、側面が前記冷却装置の筐体に取り付けられるダンパケースと、
前記開口部の開閉に用いられるダンパと、
前記ダンパケースの開口部近傍に取り付けられ、前記ダンパを揺動自在に軸支するヒンジと、を備えることを特徴とする冷却装置。
【発明の詳細な説明】
【技術分野】
【０００１】
この発明は、主として冷蔵庫内などを冷却する冷却装置に使用される吹出しダンパ装置、およびそのダンパ装置が風の吹出し口に設置された冷却装置に関する。
【背景技術】
【０００２】
一般に、冷却装置の吹出し口付近には吹出しダンパ装置が取り付けられる場合があり、冷却運転時にダンパを開いて空気の流れをつくり、霜取り運転時にダンパを閉じて空気の流れを止めるように構成されている。そしてダンパは、冷却装置の送風機ファンの風圧により開閉する。
【０００３】
このような吹出しダンパ装置の構造として、ダンパが風路を上下に分割するように配置されたもの（例えば、特許文献１参照）や、ダンパが風路を左右に分割するように配置されたものがある。いずれの構造にしても、吹出しダンパ装置内部の通風路に、ダンパを連結し揺動させるためのヒンジ取付部を配置しているのが一般的である。
【先行技術文献】
【特許文献】
【０００４】
【特許文献１】特開平１１−２５７８２６号公報
【発明の概要】
【発明が解決しようとする課題】
【０００５】
しかし、上述した従来の吹出しダンパ装置では、ダンパを連結し揺動させるためのヒンジ取付部が通風路にあるため、ヒンジ取付部が風の圧力を損失させる障害物として作用し、風量が低下して冷凍庫内の冷却のロスを生じさせる。さらに、ヒンジ取付部によってダンパ装置内の通風路が上下または左右に分割されるため、吹出す風も上下や左右に分散され、冷凍庫内の遠くの貯蔵物に冷風が届かない。
【０００６】
この発明は上記した従来の問題点を解決するもので、第１の目的は、通風路内の障害物による圧力損失を低減させることにより、冷凍庫内の冷却のロスを低減することができる吹出しダンパ装置を提供することにある。
【０００７】
また第２の目的は、風の吹出し部を一つにすることにより、冷風の到達距離を伸ばすことができる吹出しダンパ装置を提供することにある。
【課題を解決するための手段】
【０００８】
上記目的を達成するため、この発明にかかる吹出しダンパ装置は、冷却装置の風吹出し口付近に設置され、通風路の開閉を行う吹出しダンパ装置であって、主面に通風路となる開口部が形成され、側面が冷却装置の筐体に取り付けられるダンパケースと、開口部の開閉に用いられるダンパと、ダンパケースの開口部近傍に取り付けられ、ダンパを揺動自在に軸支するヒンジとを備えるものである。
【発明の効果】
【０００９】
この発明の吹出しダンパ装置は、通風路に障害物がないため、圧力損失が低減されることによって送風機ファンの風量が上がり、冷凍庫内の冷却ロスが低減できる。また、ダンパ装置の風の吹出し部が一つになるため、風が分散されずに整流され、冷風の到達距離を伸ばすことができる。
【図面の簡単な説明】
【００１０】
【図１】この発明の実施の形態１にかかる吹出しダンパ装置が取り付けられた冷却装置の外観を示す斜視図である。
【図２】図１の冷却装置を風の吹出し方向に切断した縦断面図である。
【図３】実施の形態１にかかる吹出しダンパ装置の冷却運転時の斜視図である。
【図４】実施の形態１にかかる吹出しダンパ装置の霜取運転時の斜視図である。
【図５】実施の形態１にかかる吹出しダンパ装置の分解図である。
【図６】この発明の実施の形態２にかかる吹出しダンパ装置が取り付けられた冷却装置を風の吹出し方向に切断した縦断面図である。
【図７】実施の形態２にかかる吹出しダンパ装置の冷却運転時の斜視図である。
【図８】実施の形態２にかかる吹出しダンパ装置の霜取運転時の斜視図である。
【図９】この発明の実施の形態３にかかる吹出しダンパ装置が取り付けられた冷却装置を風の吹出し方向に切断した縦断面図である。
【図１０】実施の形態３にかかる吹出しダンパ装置の冷却運転時の斜視図である。
【図１１】実施の形態３にかかる吹出しダンパ装置の霜取運転時の斜視図である。
【図１２】実施の形態３にかかる吹出しダンパ装置の分解図である。
【発明を実施するための形態】
【００１１】
以下、この発明の実施の形態にかかる吹出しダンパ装置について、図面を参照しながら説明する。
【００１２】
実施の形態１．
図１は、実施の形態１にかかる吹出しダンパ装置が取り付けられた４連の冷却装置の外観を示す。また図２は、図１の１つの冷却装置を風の吹出し方向に切断した縦断面を示す。図１および図２に示すように冷却装置１は、筐体１１内に蒸発器１２とこの蒸発器１２に風を送る送風機１３が収納されている。また冷却装置１の下部には、蒸発器１２から滴下した水を受けるドレンパン１５が設けられている。
【００１３】
送風機１３の風吹出し口１４付近に吹出しダンパ装置２ａが設置され、冷却装置１の冷却運転時に作動する送風機１３の風圧によって、ダンパ２２ａ、２３ａが観音開きになる構造になっている。これらの筐体１１や吹出しダンパ装置２ａは、軽量化および耐食性向上のためアルミ鋼板で構成されている。
【００１４】
次に、図３〜図５を参照して、吹出しダンパ装置２ａの構造について詳細に説明する。図３は冷却運転時の吹出しダンパ装置２ａの外観を示し、図４は霜取運転時の吹出しダンパ装置２ａの外観を示し、図５は吹出しダンパ装置２ａの分解図を示す。
【００１５】
吹出しダンパ装置２ａは、基本的に、冷却装置１の筐体１１に取り付けられるダンパケース２１ａ、２枚のダンパ２２ａおよび２３ａ、ならびにダンパ２２ａおよび２３ａをダンパケース２１ａに揺動自在に軸支するヒンジ２４で構成されている。
【００１６】
ダンパケース２１ａは、通風路となる開口部３０が形成された主面Ｍと、上面Ｕおよび両側面Ｓよりなり、板金加工によってアルミ鋼板を折り曲げることにより作製される。また吹出しダンパ装置２ａは、ダンパケース２１ａの両側面Ｓを冷却装置１の筐体１１に取り付けることにより、冷却装置１の風吹出し口１４付近に設置される。
【００１７】
ダンパ２２ａおよび２３ａは概ね半円形の板材で作製され、観音開きとなる状態で、ヒンジ２４を介して、それぞれの端部がダンパケース２１ａに取り付けられている。またダンパ２２ａおよび２３ａは、ダンパケース２１ａの左右の開口部３０近傍、すなわち風吹出し口１４からの風の抵抗にならない位置に固定されている。
【００１８】
ダンパケース２１ａのうちダンパ２２ａおよび２３ａが取り付けられた主面Ｍは、霜取運転時（冷却運転終了時）にダンパ２２ａおよび２３ａが自重によって閉まるように、垂直方向に対して１０°傾斜している。
【００１９】
またダンパケース２１ａのヒンジ２４に近接する位置には、ダンパ２２ａおよび２３ａの稼動域を９０°未満にするための金具２５が取付けられている。図３に示すように、ダンパ２２ａおよび２３ａの開き角度が広がるほど風の圧力損失は低減される。しかし、ダンパ２２ａおよび２３ａの取付誤差やヒンジ２４の加工誤差によるガタツキのため自重で閉まらなくなる場合があるので、開き角度は取付誤差と加工誤差を吸収できる８５°程度が適当である。
【００２０】
ダンパ２２ａおよび２３ａには、開いた時に送風機１３の風の影響で振動が発生するため、振動を軽減させるための重り２６が取り付けられている。ダンパ２２ａおよび２３ａの形状は先端部（ヒンジ２４取付部の反対側）に重心が偏っているため、開き角度が８５°の場合、冷却運転中は送風機１３の風の影響を受け、ダンパ２２ａおよび２３ａ自体が振動する。ダンパ２２ａおよび２３ａのヒンジ２４取付部近辺に重り２６を配置することにより、重心位置がヒンジ２４側に移動して振動が軽減される。重りの形状は風の抵抗にならないように出来るだけ薄い形状にしたほうが良い。
【００２１】
図３に示すように、風吹出し口１４から通ずる吹出しダンパ装置２ａ内部の通風路には、筒状のダクト２７ａが設置されている。送風機１３による送風の通路に筒状のダクト２７ａを設置することにより、吹出しダンパ装置２ａ自体がベルマウス効果を発揮し、風が整流されて冷風の到達距離を伸ばす効果を有する。またダクト２７ａをダンパケース２１ａに取り付けることにより、ダンパケース２１ａの補強にもなる。なお、図ではダクト２７ａは円柱形状としているが、四角柱形状でも同様の効果を発揮する。
【００２２】
吹出しダンパ装置２ａの底面には、ドレンパン２８が水平方向に対し１０°の傾斜で設けられている。図２に示すように、ドレンパン２８のドレン水排出口を冷却装置１のドレンパン１４の上に設けることで、ドレン水がドレンパン１４に流れ込む構造となっている。
【００２３】
図５に示すように、冷却運転中のヒンジ２４の凍結防止のため、およびダンパケース２１ａに付着する霜を融かすために、コの字形状のヒータ２９がダンパケース２１ａの内側に、ヒンジ２４の近辺を通り、筒状のダクト２７ａを取り囲むよう取り付けられている。
【００２４】
次に、このように構成された吹出しダンパ装置２ａの動作を説明する。図３に示すように冷却装置１の冷却運転時には、ダンパ２２ａおよび２３ａは、作動する送風機１３の風圧で開いた状態を維持する。また図４に示すように冷却装置１の霜取運転時には、送風機１３が停止し風圧がなくなるため、ダンパケース２１ａに設けられた傾斜と、ダンパ２２ａおよび２３ａの開き角度を９０°未満に規制する金具２５の作用により、ダンパ２２ａおよび２３ａは、それぞれ自重で閉じる。
【００２５】
上述したように、この実施の形態にかかる吹出しダンパ装置２ａは、ヒンジ２４が、ダンパケース２１ａの開口部３０近傍、すなわち風吹出し口１４からの風の抵抗にならない位置に取り付けられている。従って通風路内に圧力損失を生じさせる障害物がないため、通風路の風量が上がり、結果として冷凍庫内の冷却ロスが低減できる。また、ダンパ装置２ａの風の吹出し部が一つになるため、風が分散されずに整流され、冷風の到達距離を伸ばすことができる。
【００２６】
また通風路に障害物を配置しないため、風きり音が低減することにより騒音の低減も期待できる。さらにダンパ２２ａおよび２３ａのヒンジ取付部が通風路上にないため、ヒンジ部凍結防止用ヒータ２９としてシンプルな形状のヒータを使用できる。すなわち、従来の装置のようにダンパを通風路の中心に配置した場合、ヒータの形状をＷ字型にする必要があったが、その必要性がなくなるため、ヒンジ部凍結防止用ヒータ２９の曲げ加工が削減でき、部品単価を抑えることができる。
【００２７】
実施の形態２．
次に、図６〜図８を参照して、この発明の実施の形態２にかかる吹出しダンパ装置について説明する。図６は、風吹出し口にこの実施の形態にかかる吹出しダンパ装置２ｂが設置された冷却装置１を、風の吹出し方向に切断した縦断面を示す。また図７は冷却運転時の吹出しダンパ装置２ｂの外観を示し、図８は霜取運転時の吹出しダンパ装置２ｂの外観を示す。
【００２８】
この実施の形態では、実施の形態１のダンパケース２１ａ、ダンパ２２ａおよび２３ａ、ならびにダクト２７ａが、それぞれダンパケース２１ｂ、ダンパ２２ｂ、ならびにダクト２７ｂに置き換えられている、なお、図中、実施の形態１にかかる吹出しダンパ装置２ａと同一機能を有する部分には同一符号を付し、詳細な説明を省略する。以後の説明においても同様とする。
【００２９】
実施の形態１の吹出しダンパ装置２ａでは、観音開きの開閉構造を有する概ね半円形の２枚のダンパ２２ａおよび２３ａを用いたが、この実施の形態の吹出しダンパ装置２ｂでは、概ね円形の１枚のダンパ２２ｂを用いている。
【００３０】
またダンパ２２ｂは、ダンパケース２１ｂの上部の開口部３０近傍、すなわち風吹出し口１４からの風の抵抗にならない位置に固定されている。実施の形態１と同様に、送風機１３からの風が通過する通風路には、円筒形のダクト２７ｂが設置されている。ダクト２７ｂの働きはダクト２７ａの働きと変わらない。
【００３１】
また吹出しダンパ装置２ｂの底面には、ドレンパン２８が水平方向に対し１０°の傾斜で設けられており、ドレン水排出口を冷却装置１のドレンパン１５の上に設けることで、ドレン水がドレンパン１５に流れ込む構造となっている。
【００３２】
なお、ダンパ２２ｂをダンパケース２１ｂに取り付ける開閉面の角度は、ダンパケース２１ｂの形状が最も単純になるように、垂直に配置するのが適当である。
【００３３】
次に吹出しダンパ装置２ｂの動作を説明する。図７に示すように冷却装置１の冷却運転時には、ダンパ２２ｂは、作動する送風機１３の風圧で開いた状態を維持する。一方、図８に示すように冷却装置１の霜取運転時には、送風機１３が停止して風圧がなくなるため、ダンパ２２ｂは自重で閉じる。
【００３４】
上述したように、この実施の形態にかかる吹出しダンパ装置２ｂは、ダンパ２２ｂを一枚の板材で構成しているため、実施の形態１の吹出しダンパ装置２ａに比べて部品点数を減らすことができ、また構造も簡単になる。その結果、実施の形態１で説明した効果に加えて装置のコストダウンが図れる利点がある。
【００３５】
実施の形態３．
次に、図９〜図１２を参照して、この発明の実施の形態３にかかる吹出しダンパ装置について説明する。図９は、吹出し口にこの実施の形態にかかる吹出しダンパ装置２ｃが取り付けられた冷却装置１を、風の吹出し方向に切断した縦断面を示す。また図１０は冷却運転時の吹出しダンパ装置２ｃの外観を示し、図１１は霜取運転時の吹出しダンパ装置２ｃの外観を示し、図１２は吹出しダンパ装置２ｃの分解図を示す。
【００３６】
この実施の形態では、実施の形態２のダンパケース２１ｂ、ダンパ２２ｂおよびダクト２７ｂが、それぞれダンパケース２１ｃ、ダンパ２２ｃおよびダクト２７ｃに置き換えられている、
【００３７】
実施の形態２では、ダンパ２２ｂを概ね円形の１枚の板材で構成し、かつヒンジ２４の取付位置をダンパケース２１ｂの開口部３０近傍のうち上部に配置した。本実施の形態では、実施の形態２と同様にダンパ２２ｃを概ね円形の１枚の板材で構成しているが、ヒンジ２４の取付位置は、ダンパケース２１ｃの開口部３０近傍の側面部としている。
【００３８】
図１０に示すように、ダンパ２２ｃは、送風機１３からの風の抵抗にならない位置であるダンパケース２１ｃの側面部に、ヒンジ２４を介して固定されている。また実施の形態１と同様に、ダンパ２２ｃの稼動域を９０°未満にするための金具２５がヒンジ２４に近接して取付けられている。またダンパケース２１ｃの開口部３０が形成された主面Ｍは、霜取運転時（冷却運転終了時）にダンパ２２ｃが自重によって閉まるように、垂直方向に対して１０°傾斜している。またダンパ２２ｃを開いた時に送風機１３の風の影響で振動が発生するため、ダンパ２２ｃには振動を軽減させるための重り２６が取り付けられている。
【００３９】
次に、吹出しダンパ装置６ｃの動作を説明する。図１０に示すように冷却装置１の冷却運転時には、作動する送風機１３の風圧でダンパ２２ｃが開いた状態を維持する。一方、図１１に示すように冷却装置１の霜取運転時には、送風機１３が停止して風圧がなくなるため、ダンパケース２１ｃに設けられた傾斜と、ダンパ２２ｃの開き角度が金具２５で９０°未満に規制されることによる作用で、ダンパ２２ｃは自重によって閉じる。
【００４０】
上述したように、この実施の形態にかかる吹出しダンパ装置２ｃは、ダンパを一枚の板材で構成しているため、実施の形態１の吹出しダンパ装置２ａに比べて部品点数を減らすことができ、また構造も簡単になるため、装置のコストダウンが図れる利点がある。
【産業上の利用可能性】
【００４１】
この発明にかかる吹出しダンパ装置は、風の吹出し口を開閉する必要のある各種の冷却装置に適用できるものである。
【符号の説明】
【００４２】
１  冷却装置
２ａ、２ｂ，２ｃ  吹出しダンパ装置
１１  筐体
１２  蒸発器
１３  送風機
１４  風吹出し口
１５  ドレンパン
２１ａ、２１ｂ、２１ｃ  ダンパケース
２２ａ、２２ｂ，２２ｃ、２３ａ  ダンパ
２４  ヒンジ
２５  金具
２６  重り
２７ａ、２７ｂ、２７ｃ  ダクト
２８  ドレンパン
２９  ヒータ
【図１】
2010210108.tif 000003
【図２】
2010210108.tif 000004
【図３】
2010210108.tif 000005
【図４】
2010210108.tif 000006
【図５】
2010210108.tif 000007
【図６】
2010210108.tif 000008
【図７】
2010210108.tif 000009
【図８】
2010210108.tif 000010
【図９】
2010210108.tif 000011
【図１０】
2010210108.tif 000012
【図１１】
2010210108.tif 000013
【図１２】
2010210108.tif 000014